(57)【要約】【課題】室内の状況を室外に示すことを目的とする。【解決手段】表示装置であって、室外に設置される本体部と、前記本体部の上面に設けられた表示領域に、室内の状況を示すメッセージを表示する第１の表示部と、室外の対象を検知する第１の検知部と、を備え、前記第１の表示部は、前記第１の検知部が前記対象を検知すると、前記メッセージを表示する。【選択図】図１
2018014048.tif 000002
【特許請求の範囲】
【請求項１】
室外に設置される本体部と、
前記本体部の上面に設けられた表示領域に、室内の状況を示すメッセージを表示する第１の表示部と、
室外の対象を検知する第１の検知部と、を備え、
前記第１の表示部は、前記第１の検知部が前記対象を検知すると、前記メッセージを表示する、表示装置。
【請求項２】
請求項１に記載の表示装置であって、
前記本体部の前面に、入室を望まないことを示す表示を行う第２の表示部を備える、表示装置。
【請求項３】
請求項１又は２に記載の表示装置であって、
外部の端末装置と通信を行う通信部を備え、
前記第１の表示部は、前記端末装置から受信した情報を用いて特定される前記メッセージを表示する、表示装置。
【請求項４】
請求項３に記載の表示装置であって、
複数の前記メッセージを記憶する記憶部を備え、
前記第１の表示部は、前記端末装置により選択された前記メッセージを表示する、表示装置。
【請求項５】
請求項３又は４に記載の表示装置であって、
前記通信部は、前記端末装置から表示開始指示を受け付けると、予め登録された他の前記端末装置に通知し、
前記第１の表示部は、前記表示開始指示があった場合に、前記メッセージを表示する、表示装置。
【請求項６】
請求項１から５のいずれか一項に記載の表示装置であって、
前記第１の検知部により前記対象が所定時間継続して検知されたか否かを判定し、所定時間継続して検知された場合に、前記第１の表示部に前記メッセージを表示させる出力制御部を備える、表示装置。
【請求項７】
請求項１又は２に記載の表示装置であって、
音声を出力する音声出力部と、
設置対象面の振動を検知する第２の検知部と、
音声及び表示情報の出力を制御する出力制御部と、を備え、
前記出力制御部は、前記振動が検知されると、前記音声出力部に音声を出力させるか、又は前記第１の表示部に前記メッセージを表示させるか、の少なくとも一方を実行する、表示装置。
【請求項８】
請求項７に記載の表示装置であって、
外部の端末装置と通信を行う通信部と、
所定の前記端末装置が所定距離以内にあるか否かを判定する距離判定部を備え、
前記出力制御部は、前記端末装置が所定距離以内にある場合に、音声又は前記メッセージの出力を制限する、表示装置。
【請求項９】
請求項１又は２に記載の表示装置であって、
外部の端末装置と通信を行う通信部を備え、
前記第１の検知部は、検知した前記対象のバイタルデータを取得し、
前記通信部は、所定の前記端末装置に前記バイタルデータを送信する、表示装置。
【請求項１０】
請求項９に一項に記載の表示装置であって、
前記第１の表示部は、前記バイタルデータに応じた前記メッセージを表示する、表示装置。
【請求項１１】
請求項１から１０のいずれか一項に記載の表示装置であって、
前記第１の表示部は、設置対象面との接面に対し３０度以上９０度未満の角度をなす略平面状の表示領域を備える、表示装置。
【請求項１２】
請求項１又は２に記載の表示装置であって、
サーバー装置と通信を行う通信部と、
音声を出力する音声出力部と、
音声及び表示情報の出力を制御する出力制御部と、を備え、
前記出力制御部は、前記通信部が前記サーバー装置から緊急情報を受信すると、前記音声出力部に音声を出力させるか、又は前記第１の表示部に前記メッセージを表示させるか、の少なくとも一方を実行する、表示装置。
【発明の詳細な説明】
【技術分野】
【０００１】
本発明は、表示装置に関する。
【背景技術】
【０００２】
特許文献１には、室内状態の簡易表示装置について、「ドアーの開閉を検知するドアースイッチと、人感センサーを組み合わせて、ドアーが開かれたときにだけ、一定時間人感センサーの電源を入れて人の存在を検知することで省電力化し、電池を電源に使用して、取り付け場所の制約を取り除いたことを特徴とする」技術が開示されている。
【先行技術文献】
【特許文献】
【０００３】
【特許文献１】実用新案登録第３１５５２０１号
【発明の概要】
【発明が解決しようとする課題】
【０００４】
室内の人が勉強中であるなどの状況において、室外からの他人の干渉を抑制したい場合がある。また、室内の人が映画鑑賞中であるなどの状況では、他人が室内に入る際に静かに入出してほしい。このように、室内の人が、状況に応じた対応を室外の他人に望む場合がある。一方で、室内から施錠して室外から入室できなくすることは、安全面等の事情で抵抗のある場合がある。
【０００５】
特許文献１に記載された技術では、室内の人の在不在のみを表示するものであって、室内の人の状況を室外に示すものではない。
【０００６】
本発明は、上記の点に鑑みてなされたものであって、室内の状況を室外に示すことを目的とする。
【課題を解決するための手段】
【０００７】
そこで上記課題を解決するため、本発明の一態様に係る表示装置は、室外に設置される本体部と、前記本体部の上面に設けられた表示領域に、室内の状況を示すメッセージを表示する第１の表示部と、室外の対象を検知する第１の検知部と、を備え、前記第１の表示部は、前記第１の検知部が前記対象を検知すると、前記メッセージを表示する。
【０００８】
前記本体部の前面に、入室を望まないことを示す表示を行う第２の表示部を備えてもよい。
【０００９】
上記いずれかの表示装置は、外部の端末装置と通信を行う通信部を備え、前記第１の表示部は、前記端末装置から受信した情報を用いて特定される前記メッセージを表示してもよい。
【００１０】
上記いずれかの表示装置は、複数の前記メッセージを記憶する記憶部を備え、前記第１の表示部は、前記端末装置により選択された前記メッセージを表示してもよい。
【００１１】
上記いずれかの表示装置において、前記通信部は、前記端末装置から表示開始指示を受け付けると、予め登録された他の前記端末装置に通知し、前記第１の表示部は、前記表示開始指示があった場合に、前記メッセージを表示してもよい。
【００１２】
上記いずれかの表示装置は、前記第１の検知部により前記対象が所定時間継続して検知されたか否かを判定し、所定時間継続して検知された場合に、前記第１の表示部に前記メッセージを表示させる出力制御部を備えてもよい。
【００１３】
上記いずれかの表示装置は、音声を出力する音声出力部と、設置対象面の振動を検知する第２の検知部と、音声及び表示情報の出力を制御する出力制御部と、を備え、前記出力制御部は、前記振動が検知されると、前記音声出力部に音声を出力させるか、又は前記第１の表示部に前記メッセージを表示させるか、の少なくとも一方を実行してもよい。
【００１４】
上記いずれかの表示装置は、外部の端末装置と通信を行う通信部と、所定の前記端末装置が所定距離以内にあるか否かを判定する距離判定部を備え、前記出力制御部は、前記端末装置が所定距離以内にある場合に、音声又は前記メッセージの出力を制限してもよい。
【００１５】
上記いずれかの表示装置は、外部の端末装置と通信を行う通信部を備え、前記第１の検知部は、検知した前記対象のバイタルデータを取得し、前記通信部は、所定の前記端末装置に前記バイタルデータを送信してもよい。
【００１６】
上記いずれかの表示装置において、前記第１の表示部は、前記バイタルデータに応じた前記メッセージを表示してもよい。
【００１７】
上記いずれかの表示装置において、前記第１の表示部は、設置対象面との接面に対し３０度以上９０度未満の角度をなす略平面状の表示領域を備えてもよい。
【００１８】
上記いずれかの表示装置は、サーバー装置と通信を行う通信部と、音声を出力する音声出力部と、音声及び表示情報の出力を制御する出力制御部と、を備え、前記出力制御部は、前記通信部が前記サーバー装置から緊急情報を受信すると、前記音声出力部に音声を出力させるか、又は前記第１の表示部に前記メッセージを表示させるか、の少なくとも一方を実行してもよい。
【発明の効果】
【００１９】
本発明によれば、室内の状況を室外に表示することができる。
【図面の簡単な説明】
【００２０】
【図１】第１の実施形態における表示装置の使用状態の一例を示す図である。
【図２】表示装置の外観の一例を示す図（その１）である。
【図３】表示装置の外観の一例を示す図（その２）である。
【図４】表示装置の外観の一例を示す図（その３）である。
【図５】第１の実施形態における表示装置の機能ブロックの一例を示す図である。
【図６】表示指示受付処理の一例を示すシーケンス図である。
【図７】表示判定処理の一例を示すフローチャートである。
【図８】第２の実施形態における表示装置の機能ブロックの一例を示す図である。
【図９】第２の実施形態の第２の変形例における表示装置の機能ブロックの一例を示す図である。
【図１０】第３の実施形態における表示装置の機能ブロックの一例を示す図である。
【発明を実施するための形態】
【００２１】
以下、図面に基づいて本発明の実施の形態を説明する。
【００２２】
＜第１の実施形態＞
【００２３】
図１は、第１の実施形態における表示装置の使用状態の一例を示す図である。表示装置１は、部屋Ｒの外側の扉や壁、柱等の設置対象面Ｐに設置される。部屋Ｒは、居室、トイレ、浴室、納戸等の、区画された空間である。表示装置１は、部屋Ｒの中にいる利用者の状況を、室外にいる者に知らせる。以下、室外にいる者を対象者として説明する。
【００２４】
図２は、表示装置１の外観の一例を示す図（その１）である。図２（Ａ）〜（Ｆ）は表示装置１の六面図であり、図２（Ａ）は前面図（正面図）、図２（Ｂ）は背面図、図２（Ｃ）は左側面図、図２（Ｄ）は右側面図、図２（Ｅ）は上面図（平面図）、図２（Ｆ）は底面図である。
【００２５】
表示装置１は、本体部２２０と、上面表示領域２２１と、前面表示領域２２２と、電池蓋２２３と、を有する。
【００２６】
本体部２２０は、前面から見て直径約６ｃｍの略円形の上端を切除したような形状をしており、切除した部分の淵に相当する部分に上面表示領域２２１を配置している。即ち、上面表示領域２２１は、表示装置１において鉛直方向上方に向けて配置される。また、本体部２２０の厚みは約２．０ｃｍであって、厚さ方向においても丸みを帯びた形状をしている。本体部２２０の素材は問わず、例えば樹脂、金属、又は木である。
【００２７】
本体部２２０の、図２（Ｃ）の左側面図に示す左側、つまり背面が、設置対象面Ｐ（通常、略鉛直である）と接する接面である。上面表示領域２２１は、接面に対し３０度以上９０度未満の角度をなすよう構成された略平面状である。より望ましくは、上面表示領域２２１は、接面に対し４５度以上８０度未満の角度をなすよう構成される。上面表示領域２２１をこのように構成することにより、表示装置１から遠方にいる者にはメッセージの視認を困難にし、表示装置１近傍にいる者にメッセージの視認を容易にすることができる。
【００２８】
本体部２２０の設置対象面Ｐへの設置方法は問わない。例えば両面テープ、接着剤、又はブラケット等の固定具を用いて、本体部２２０を設置対象面Ｐに設置してもよい。
【００２９】
前面表示領域２２２は、本体部２２０の前面に配置される。換言すれば、本体部２２０の設置対象面Ｐとの接面を背側とすると、前面表示領域２２２は腹側の面に位置する。前面表示領域２２２は、正面を向いて配置されるため、遠方の対象者でも視認が可能である。
【００３０】
図２に示す表示装置１は、本体部２２０の背面に電池蓋２２３を有する。電池蓋２２３は、本体内部に収容される電池を交換する際に開閉するが、電池交換を必要としない場合等において、電池蓋２２３は必須の構成ではない。
【００３１】
図３は、表示装置１の外観の一例を示す図（その２）である。図３（Ａ）及び図３（Ｂ）は表示装置１の斜視図である。上面表示領域２２１及び前面表示領域２２２には情報が表示される。図３（Ｂ）は、図３（Ａ）に示す表示装置１において、上面表示領域２２１及び前面表示領域２２２に情報が表示された状態を示す。
【００３２】
表示装置１は、図示しない外部の端末装置から表示開始指示を受け付けると、前面表示領域２２２に所定の情報を表示する。また、表示装置１は、所定の条件を満たす場合に、上面表示領域２２１にメッセージを表示する。図３（Ｂ）において、前面表示領域２２２には鍵を示す記号が表示され、上面表示領域２２１には「ＳＴＵＤＹ」の文字列からなるメッセージが表示されている。
【００３３】
上面表示領域２２１に表示させるメッセージの他の例として、「ＤＯＮ‘Ｔ  ＫＮＯＣＫ」や「ＳＬＥＥＰ」、「ＷＡＴＣＨ」等の文字列が挙げられる。「ＤＯＮ‘Ｔ  ＫＮＯＣＫ」のメッセージが表示されている場合、室内の利用者がノックにより集中を妨げられるため、ノックをしてほしくない状況であることを対象者は認識可能である。
【００３４】
「ＳＬＥＥＰ」のメッセージが表示されている場合、対象者は室内の利用者が睡眠中であることを認識可能である。また、「ＷＡＴＣＨ」のメッセージが表示されている場合、室内の利用者が映画等を鑑賞している状況にあることを対象者が認識できる。上面表示領域２２１に表示されるメッセージは、上記の例に限定されないことは言うまでもない。
【００３５】
図４は、表示装置１の外観の一例を示す図（その３）である。本図に示す通り、表示装置１は底面においても丸みを帯びた形状をしている。
【００３６】
図５は、第１の実施形態における表示装置１の機能ブロックの一例を示す図である。表示装置１は、制御部１１０と、上面表示部１２１と、前面表示部１２２と、対象者検知部１２３と、通信部１２４と、記憶部１２５と、を備える。制御部１１０は、ＣＰＵ（Central Processing Unit）等の演算装置と、揮発性の記憶装置であるＲＡＭ（Random Access Memory）と、不揮発性の記憶装置であるＲＯＭ（Read Only Memory）と、により実現可能である。制御部１１０は、演算装置がＲＯＭに記憶されているプログラムに従って動作することにより、その機能を実現することができる。
【００３７】
制御部１１０は、出力制御部１１１を備える。出力制御部１１１は、上面表示部１２１及び前面表示部１２２等への情報の出力を制御する。出力制御部１１１は、ＰＣ、スマートフォン、タブレット等の図示しない外部の端末装置からの表示開始指示を、後述する通信部１２４を介して受け付ける。出力制御部１１１は、表示開始指示を受け付けると、前面表示部１２２に情報を表示させる。
【００３８】
また、出力制御部１１１は、上面表示部１２１に表示させるメッセージの登録を受け付ける。また、出力制御部１１１は、対象者検知部１２３により検知された対象者に関する情報が所定の条件を満たす場合に、上面表示部１２１にメッセージを表示させる。
【００３９】
上面表示部１２１は、上面表示領域２２１に対して所定のメッセージを表示させる。上面表示部１２１は、例えばＬＥＤ（light emitting diode）やＬＣＤ（liquid crystal display）、有機ＥＬディスプレイ等により実現が可能である。上面表示部１２１は、端末装置により登録されたメッセージを上面表示領域２２１に表示させる。メッセージは、端末装置からの指示により変更が可能である。
【００４０】
前面表示部１２２は、所定の情報を前面表示領域２２２に表示させる。所定の情報とは、例えば入室を望まないことを示す記号である。前面表示部１２２は、例えば本体部２２０内部に収容された、所定の記号をマスキングしたシートに対し、同様に本体部２２０に収容されたＬＥＤ等の光源を照射することにより、記号を前面表示領域２２２に投影させる。または、前面表示部１２２は、本体部２２０に収容された複数のＬＥＤ光源を、記号が投影されるように配置することにより、記号を前面表示領域２２２に浮かび上がらせるものであってもよい。
【００４１】
対象者検知部１２３は、本体部から所定距離内にいる人の有無を検知するセンサーである。対象者検知部１２３には、例えばマイクロ波等の電波を用いて検知を行うドップラーセンサーの他、赤外線センサーや、超音波式センサーが用いられてもよい。
【００４２】
通信部１２４は、前述した外部の端末装置と表示装置１とを接続する通信装置である。通信部１２４は、例えば短距離無線通信に用いられるBluetooth(登録商標)、Wi-Fi(登録商標)等の規格の無線通信デバイスである。
【００４３】
記憶部１２５は、ＲＡＭ又はフラッシュＲＯＭ等の記憶装置であって、複数のメッセージを記憶している。複数のメッセージの中から、上面表示部１２１に表示させるメッセージの選択を端末装置から受け付けると、記憶部１２５は当該メッセージを上面表示部１２１に表示させるメッセージとして登録する。
【００４４】
本実施形態では、利用者は端末装置を用いて表示開始の操作を行う。端末装置から表示開始指示が表示装置１に送信され、表示装置１が表示開始指示を受信すると、出力制御部１１１は前面表示部１２２に記号を表示させる。また、出力制御部１１１は、表示装置１近傍に所定時間対象者が留まるなど、所定の条件を満たす場合に、上面表示部１２１にメッセージを表示させる。
【００４５】
対象者はメッセージを視認することにより、室内の状況を把握することができる。例えば、勉強中等において他人の入室を制限したい場合等に、勉強中であることを示すメッセージを上面表示領域２２１に表示させることで、対象者は利用者の意図を把握することができる。また、映画鑑賞中等において静かな入室を希望する場合等に、映画鑑賞中であることを示すメッセージを上面表示領域２２１に表示させることで、対象者に対してメッセージに応じた対応を促すことができる。
【００４６】
図６は、表示指示受付処理の一例を示すシーケンス図である。以下、端末装置として、利用者のスマートフォンを用いる例に基づいて説明する。本処理開始前に、端末装置と表示装置１は通信可能な状態となっている。端末装置には、表示装置１を制御するためのソフトウェアが予めダウンロード及びインストールされている。
【００４７】
まず、端末装置は利用者からのメッセージの入力を受け付ける（ステップＳ１１）。具体的には、表示装置１の記憶部１２５には、表示可能な複数のメッセージが予め記憶されている。端末装置は、複数のメッセージを選択可能に表示する。端末装置は、複数のメッセージの中から表示装置１に表示させるメッセージの選択を受け付ける。
【００４８】
次に、端末装置は、選択されたメッセージを特定する情報を表示装置１に送信する（ステップＳ１２）。
【００４９】
次に、表示装置１の出力制御部１１１は、メッセージを登録する（ステップＳ１３）。具体的には、出力制御部１１１は端末装置から送信された情報を用いてメッセージを特定し、上面表示部１２１に表示させるメッセージとして記憶部１２５に登録する。
【００５０】
なお、端末装置は、文字列の自由入力を受け付けてもよい。その場合、表示装置１の出力制御部１１１は、端末装置が入力を受け付けた文字列を、上面表示部１２１に表示させるメッセージとして記憶部１２５に登録する。
【００５１】
次に、端末装置は、表示開始指示を送信する（ステップＳ１４）。端末装置は、表示装置１の表示を開始する操作を受け付けると、表示開始指示を表示装置１に送信する。
【００５２】
次に、表示装置１の出力制御部１１１は、前面表示部１２２への表示を行う（ステップＳ１５）。出力制御部１１１は、表示開始指示を受信すると、前面表示部１２２に記号を表示させる。
【００５３】
次に、端末装置は、指定通知先への通知を行う（ステップＳ１６）。具体的には、端末装置には、表示を行う際の通知先が予め登録されている。通知先とは、例えば対象者となる家族の携帯電話のＥメールアドレス等である。端末装置は、表示指示を受け付けると、通知先に通知を行う。通知する情報には、ステップＳ１１において入力されたメッセージが含まれていてもよい。なお、本ステップは省略してもよい。
【００５４】
付言すれば、指定通知先への通知は、表示装置１が行うものであってもよい。その場合、表示装置１の出力制御部１１１は、表示開始指示を受信すると、記憶部１２５に予め記憶された通知先に対し、通信部１２４を介して通知を送信する。
【００５５】
次に、表示装置１は、表示判定処理を行う（ステップＳ１７）。表示判定処理については後述する。
【００５６】
次に、端末装置は、表示終了指示を表示装置１に送信する（ステップＳ１８）。端末装置は、表示装置１の表示終了の操作を受け付けると、表示終了指示を表示装置１に送信する。
【００５７】
次に、表示装置の出力制御部１１１は、上面表示部１２１及び前面表示部１２２の表示を終了する（ステップＳ１９）。出力制御部１１１は、表示終了指示を受信すると、前面表示部１２２の表示を終了させる。また、出力制御部１１１は、上面表示部１２１にメッセージが表示されている場合に、メッセージの表示を終了する。その後、端末装置及び表示装置１は本シーケンスの処理を終了する。
【００５８】
なお、ステップＳ１８において、出力制御部１１１は、表示終了指示を受信した場合に、上面表示部１２１及び前面表示部１２２による表示を終了した。しかしながら、表示装置１の出力制御部１１１は、表示開始指示の受信から所定時間経過後に、自動的に前面表示部１２２及び上面表示部１２１の表示を終了してもよい。終了するための所定時間は、端末装置から設定が可能である。
【００５９】
また、本シーケンス図では、表示装置１はメッセージの登録後に表示指示を受け付け、登録されたメッセージを表示させているが、表示させるメッセージは本処理開始前に予め登録されたものであってもよい。
【００６０】
また、本実施形態では、複数のメッセージを表示装置１の記憶部１２５に記憶しており、出力制御部１１１は記憶部１２５内のメッセージから選択されたメッセージを登録する。しかしながら、複数のメッセージは端末装置に記憶されており、登録処理の際に端末装置から表示装置１にメッセージが送信されてもよい。なお、記憶部１２５は、ネットワーク上に形成された記憶装置であってもよい。
【００６１】
また、表示装置１の出力制御部１１１は、本体部２２０の内部に収容された、図示しない電池の残量を監視し、電池残量が所定の閾値を下回った場合に、端末装置へと通知を行ってもよい。
【００６２】
図７は、表示判定処理の一例を示すフローチャートである。本処理は、図６のステップＳ１７において行われる処理の詳細を示すものである。本フローチャートの処理は、図６に示すステップＳ１８において端末装置から送信される表示終了指示を表示装置１が受信するまで繰り返される。
【００６３】
まず、対象者検知部１２３は、対象者を検知する（ステップＳ２１）。具体的には、対象者検知部１２３は、例えば表示装置１の前面から信号を出力し、一定以上の信号強度である等の所定の特性を持つ反射信号を受信した場合に、対象者を検知したものと判定する。
【００６４】
次に、出力制御部１１１は、対象者を所定時間継続して検知したか否かを判定する（ステップＳ２２）。出力制御部１１１は、対象者検知部１２３からの信号を用いて、対象者が所定時間継続して検知されたか否かを判定する。出力制御部１１１は、対象者を所定時間継続して検知していないと判定する場合（ステップＳ２２で「ＮＯ」の場合）、処理をステップＳ２１に戻す。対象者が所定時間継続して検知されない場合、対象者が表示装置１近傍を通過した状態と考えられるため、表示装置１は上面表示部１２１にメッセージを表示させない。
【００６５】
出力制御部１１１は、対象者を所定時間継続して検知したと判定する場合（ステップＳ２２で「ＹＥＳ」の場合）、出力制御部１１１は上面表示部１２１に登録メッセージを表示させる（ステップＳ２３）。具体的には、出力制御部１１１は、記憶部１２５に予め登録されたメッセージを読み出し、上面表示部１２１に表示させる。
【００６６】
次に、出力制御部１１１は、対象者が範囲外へ移動したか否かを判定する（ステップＳ２４）。出力制御部１１１は、例えば対象者検知部１２３の出力している信号に対し、反射信号を受信しない場合に、検知範囲外へと対象者が移動したものと判定する。出力制御部１１１が、対象者が検知範囲外へ移動していないと判定する場合（ステップＳ２４で「ＮＯ」の場合）、出力制御部１１１はステップＳ２３の処理を繰り返す。即ち、上面表示部１２１へのメッセージの表示が継続される。
【００６７】
出力制御部１１１が、対象者が検知範囲外へと移動したと判定する場合（ステップＳ２４で「ＹＥＳ」の場合）、出力制御部１１１は、上面表示部１２１への表示を終了する（ステップＳ２５）。具体的には、上面表示部１２１は、上面表示領域２２１に表示されているメッセージを非表示にする。その後、出力制御部１１１は、処理をステップＳ２１に戻す。
【００６８】
なお、本実施形態において、表示装置１近傍において所定時間継続して対象者が検知された場合に、上面表示領域２２１にメッセージを表示させた。しかしながら、出力制御部１１１は、対象者検知部１２３が対象者を検知した場合に、上面表示部１２１にメッセージを表示させてもよい。即ち、表示装置１近傍を通過する対象者に対しても、メッセージを表示させるものであってもよい。
【００６９】
本実施形態では、入室を望まないことを示す情報が前面表示部１２２へ表示されるため、前面表示部１２２を視認可能な者に利用者の意図を認識させることができる。また、表示装置１近傍で検知された対象者に対し、室内の状況を示すメッセージを表示させることで、対象者に対し利用者の意図に応じた対応を促すことができる。また、表示装置１近傍において対象者が所定時間検知されたか否かを判定し、所定時間検知された場合にメッセージを表示させるため、常時メッセージを表示させる場合に比べ、消費電力を削減することができる。
【００７０】
また、利用者が表示指示の操作を行ったことを、予め登録された対象者に通知することで、表示装置１を視認していない対象者に対しても利用者の意図を認識させることができる。本実施形態により、物理的に扉に施錠をしなくとも、室内の利用者の状況や意図を対象者に伝えることができる。
【００７１】
＜変形例＞
【００７２】
次に、第１の実施形態の変形例について説明する。第１の実施形態では、表示装置１は端末装置から登録するメッセージの入力を受け付けた。また、表示装置１は、端末装置から表示開始指示を受信した。本変形例では、表示装置１は直接入力操作を受け付けることにより、表示するメッセージを登録し、表示開始を行う。
【００７３】
表示装置１は、図示しない入力部を有する。入力部は、例えば背面に設置されたスイッチであって、利用者からの入力操作を受け付ける。
【００７４】
図６に示すシーケンス図において、端末装置において行われるステップＳ１１のメッセージの入力受付に代わって、表示装置１の入力部は登録するメッセージの入力を受け付ける。ステップＳ１３において、表示装置１の出力制御部１１１は、入力部が受け付けたメッセージを登録する。
【００７５】
また、端末装置において行われるステップＳ１４の表示開始指示の送信に代わって、表示装置１の入力部は表示開始の操作を受け付ける。その後、ステップＳ１５において、出力制御部１１１は前面表示部１２２への表示を開始する。ステップＳ１８において行われる表示終了指示についても、同様に表示装置１の入力部が表示終了の操作を受け付ける。
【００７６】
本変形例により、端末装置を用いない場合においても、表示装置１は室内の状況を室外に表示することができる。
【００７７】
＜第２の実施形態＞
【００７８】
図８は、第２の実施形態における表示装置１の機能ブロックの一例を示す図である。本実施形態では、表示装置１が扉のノックを検知すると、ノックを抑制することを促す音声及び表示が出力される。以下、上述の第１の実施形態と異なる点を説明し、重複する点については説明を省略する。
【００７９】
表示装置１は、振動検知部１２６と、音声出力部１２７と、を備える。振動検知部１２６は、振動を検知することのできるセンサーである。振動検知部１２６は、例えば加速度センサーである。音声出力部１２７は、音声を出力するスピーカーである。
【００８０】
本実施形態における表示装置１は、扉に設置される。ノックにより扉が振動すると、振動検知部１２６が振動を検知する。振動検知部１２６が振動を検知すると、出力制御部１１１は音声出力部１２７に音声を出力させる。出力制御部１１１は、振動検知部１２６が振動を検知した場合、音声出力部１２７による音声の出力に代えて、又は音声の出力と併せて、上面表示部１２１に所定のメッセージを表示させてもよい。
【００８１】
上面表示部１２１に所定のメッセージを表示させる場合において、対象者の検知に基づいて既にメッセージが表示されている場合、出力制御部１１１はノックの際に表示させるメッセージとして予め登録されたメッセージに表示を切り替える。上面表示部１２１には、例えば「ＤＯＮ‘Ｔ  ＫＮＯＣＫ」のメッセージが表示される。
【００８２】
本実施形態により、室内の利用者がノックを望まないことを、対象者に認識させることができる。これにより、対象者がノックを行うことを抑止することができる。
【００８３】
＜第１の変形例＞
次に、第２の実施形態における表示装置１の第１の変形例について説明する。本変形例における通信部１２４は、図示しないネットワークを介してサーバー装置に接続されている。本変形例における表示装置１は、サーバー装置からの所定の緊急情報を受信可能である。
【００８４】
通信部１２４は、サーバー装置から緊急情報を受信する。出力制御部１１１は、通信部１２４が緊急情報を受信すると、受信した緊急情報に応じた所定の音声を音声出力部１２７から出力させる。また、出力制御部１１１は、通信部１２４が緊急情報を受信すると、音声出力部１２７からの音声の出力に代えて、又は音声の出力に並行して、受信した緊急情報に応じた所定のメッセージを上面表示部１２１に表示させる。出力させる音声、及び表示させるメッセージは、記憶部１２５に予め記憶されていてもよく、サーバー装置から送信されるものであってもよい。
【００８５】
これにより、例えばサーバー装置が緊急地震速報を出力すると、表示装置１から緊急情報に応じた情報を出力させることが可能となる。本変形例における表示装置１は、急を要する情報を受信した際に音声や表示情報を出力することができ、周囲の者に警戒を促すことができる。
【００８６】
＜第２の変形例＞
【００８７】
図９は、第２の実施形態の第２の変形例における表示装置１の機能ブロックの一例を示す図である。本変形例における制御部１１０は、距離判定部１１２を備える。
【００８８】
本変形例における振動検知部１２６は、上述の第２の実施形態と同様に、扉の振動を検知する。振動検知部１２６が振動を検知すると、距離判定部１１２が通信部１２４を介して、予め登録された利用者の端末装置との通信を開始する。通信部１２４は、端末装置との接続が行われた場合に、端末装置から受信した受信信号強度、又は端末装置に送信した送信信号強度の値を取得する。
【００８９】
距離判定部１１２は、受信信号強度又は送信信号強度の値に基づいて、表示装置１と端末装置との距離を判定する。距離判定部１１２は、判定した距離が所定距離以内であるか否かを判定し、所定距離以内である場合に、出力制御部１１１に通知する。通知を受けた出力制御部１１１は、扉を振動させた者が利用者であるものと取扱い、音声の出力及び表示情報の出力を制限する。換言すれば、扉の振動が検知されたとしても、端末装置が所定距離にあると判定されれば、音声及び表示情報は出力されない。
【００９０】
本変形例により、表示装置１を操作する利用者が部屋Ｒを出入りする場合には、扉の振動による音声又は表示情報の出力を抑制することができる。なお、本変形例は、第１の実施形態にも応用が可能である。その場合、対象者検知部１２３が所定時間継続して対象者を検知した場合であっても、利用者の端末装置が所定距離内に存在すると距離判定部１１２が判定した場合に、上面表示部１２１への表示を抑制する。これにより、メッセージを利用者自身に表示する処理を省くことができ、消費電力を削減できる。
【００９１】
＜第３の実施形態＞
【００９２】
次に、第３の実施形態について説明する。本実施形態では、表示装置１が対象者のバイタルデータを取得し、端末装置に送信する。以下、上述の第１及び第２の実施形態と異なる点を説明し、重複する点については説明を省略する。
【００９３】
図１０は、第３の実施形態における表示装置１の機能ブロックの一例を示す図である。表示装置１の制御部１１０は、バイタルデータ取得部１１３を備える。
【００９４】
人体の体表面は、呼吸や心拍に伴いわずかに振動している。対象者検知部１２３は、例えばマイクロ波ドップラーレーダーを用いて振動を検出し、バイタルデータ取得部１１３に通知する。バイタルデータ取得部１１３は、通知を用いて対象者の呼吸数や心拍数等のバイタルデータを取得し、通信部１２４を介して端末装置に送信する。
【００９５】
なお、バイタルデータ取得部１１３は、対象者の呼吸数や心拍数等のバイタルデータを非接触で取得できればよく、取得方法は上述の例に限定されない。例えば、対象者検知部１２３とは別の非接触式センサーを用いてもよい。センサーの種類も、ドップラーセンサーに限定されず、例えば電波式センサー等であってもよい。
【００９６】
なお、対象者検知部１２３が所定時間継続して対象者を検知した場合に、バイタルデータ取得部１１３がバイタルデータを取得するものであってもよい。
【００９７】
また、記憶部１２５は、バイタルデータに応じたメッセージを記憶しており、出力制御部１１１は、バイタルデータ取得部１１３の取得したバイタルデータに応じたメッセージを記憶部１２５から読み出し、上面表示部１２１に表示させてもよい。これにより、対象者は自分の体調に応じたメッセージを視認することができ、体調管理に役立つ。
【００９８】
バイタルデータを受信した端末装置は、受信したバイタルデータをそのまま利用者に示してもよいし、予め端末装置に記憶されている評価基準を用いてバイタルデータを評価し、得られた評価結果を表示してもよい。これにより、利用者は対象者の体調を把握することができる。利用者が利用者自身のバイタルデータを取得し、体調管理に役立ててもよい。
【００９９】
また、心拍数や呼吸数が所定値以上である場合に警告を示す情報を出力するよう端末装置を構成してもよい。これにより、興奮状態にある対象者が扉近傍に存在することを、利用者が認識することができる。また、対象者の体調に応じた対応を利用者が行うことが可能となる。
【０１００】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。また、上記の各構成、機能、処理部、処理手段等は、それらの一部又は全部を、例えば集積回路で設計する等によりハードウェアで実現してもよい。また、図中の制御線や情報線は、説明上必要と考えられるものを示しており、全てを示しているとは限らない。ほとんど全ての構成が相互に接続されていると考えてもよい。
【０１０１】
また、上記の表示装置１の機能構成は、理解を容易にするために、主な処理内容に応じて分類したものである。構成要素の分類の仕方や名称によって、本願発明が制限されることはない。表示装置１の構成は、処理内容に応じて、さらに多くの構成要素に分類することもできる。また、１つの構成要素がさらに多くの処理を実行するように分類することもできる。
【符号の説明】
【０１０２】
１：表示装置、１１０：制御部、１１１：出力制御部、１１２：距離判定部、１１３：バイタルデータ取得部、１２１：上面表示部、１２２：前面表示部、１２３：対象者検知部、１２４：通信部、１２５：記憶部、１２６：振動検知部、１２７：音声出力部、２２０：本体部、２２１：上面表示領域、２２２：前面表示領域、２２３：電池蓋
【図１】
2018014048.tif 000003
【図２】
2018014048.tif 000004
【図３】
2018014048.tif 000005
【図４】
2018014048.tif 000006
【図５】
2018014048.tif 000007
【図６】
2018014048.tif 000008
【図７】
2018014048.tif 000009
【図８】
2018014048.tif 000010
【図９】
2018014048.tif 000011
【図１０】
2018014048.tif 000012